(57)【要約】【課題】単なるネットワークレベルのネットワーク接続ではなく、サービスレベルの接続を提供することができる携帯無線通信装置、サービス中継プログラム、サービス中継システムおよびサービス中継方法を提供すること。【解決手段】携帯電話端末２００は、サービス提供サーバ４０１が提供するサービスを端末間の通信手段を介して中継するように携帯電話端末３００から要求されると、自身の認証情報をもちいてサービス提供サーバ４０１の認証を受け、その後、サービスの中継を実行する。【選択図】        図１
2007336090.tif 000002
【特許請求の範囲】
【請求項１】
ネットワークを通じてサービスを提供するサービス提供サーバと通信する第１の通信手段と、
他の情報処理機器と通信する第２の通信手段とを備えた携帯無線通信装置であって、
前記サービスの提供を受けるための電文を中継するように求める中継要求を、前記第２の通信手段を介して、他の情報処理機器から受け付ける電文中継要求受付手段と、
前記電文中継要求受付手段により前記中継要求が受け付けられた場合に、前記サービス提供サーバの認証を受けて、前記サービス提供サーバに前記サービスの提供を要求するサービス提供要求手段と、
前記サービス提供要求手段による要求が前記サービス提供サーバから認められた場合に、前記他の情報処理機器から前記第２の通信手段を介して送信された電文を前記第１の通信手段を介して前記サービス提供サーバへ転送し、前記サービス提供サーバから前記第１の通信手段を介して送信された電文を前記第２の通信手段を介して前記他の情報処理機器へ転送する電文中継手段と
を備えたことを特徴とする携帯無線通信装置。
【請求項２】
ネットワークを通じてサービスを提供するサービス提供サーバと通信する第１の通信手段と、
他の情報処理機器と通信する第２の通信手段とを備えた携帯無線通信装置において稼動するサービス中継プログラムであって、
前記サービスの提供を受けるための電文を中継するように求める中継要求を、前記第２の通信手段を介して、他の情報処理機器から受け付ける電文中継要求受付手順と、
前記電文中継要求受付手順により前記中継要求が受け付けられた場合に、前記サービス提供サーバの認証を受けて、前記サービス提供サーバに前記サービスの提供を要求するサービス提供要求手順と、
前記サービス提供要求手順による要求が前記サービス提供サーバから認められた場合に、前記他の情報処理機器から前記第２の通信手段を介して送信された電文を前記第１の通信手段を介して前記サービス提供サーバへ転送し、前記サービス提供サーバから前記第１の通信手段を介して送信された電文を前記第２の通信手段を介して前記他の情報処理機器へ転送する電文中継手順と
をコンピュータに実行させることを特徴とするサービス中継プログラム。
【請求項３】
ネットワークを通じてサービスを提供するサービス提供サーバと、
前記サービス提供サーバからサービスの提供を受けることができる携帯無線通信装置と、
前記携帯無線通信装置と通信可能な情報処理機器とを含んだサービス中継システムであって、
前記情報処理機器が、前記サービスの提供を受けるための電文を中継するように前記携帯無線通信装置に要求する電文中継要求手段と、
前記情報処理機器の要求を受けた前記携帯無線通信装置が、前記サービス提供サーバの認証を受けて、前記サービス提供サーバに前記サービスの提供を要求するサービス提供要求手段と、
前記サービス提供要求手段による要求が前記サービス提供サーバから認められた場合に、前記情報処理機器が前記サービスの提供を受けるための電文を、前記携帯無線通信装置が中継する電文中継手段と
を備えたことを特徴とするサービス中継システム。
【請求項４】
ネットワークを通じてサービスを提供するサービス提供サーバと、
前記サービス提供サーバからサービスの提供を受けることができる携帯無線通信装置と、
前記携帯無線通信装置と通信可能な情報処理機器とを含んだサービス中継システムにおけるサービス中継方法であって、
前記情報処理機器が、前記サービスの提供を受けるための電文を中継するように前記携帯無線通信装置に要求する電文中継要求工程と、
前記情報処理機器の要求を受けた前記携帯無線通信装置が、前記サービス提供サーバの認証を受けて、前記サービス提供サーバに前記サービスの提供を要求するサービス提供要求工程と、
前記サービス提供要求工程による要求が前記サービス提供サーバから認められた場合に、前記情報処理機器が前記サービスの提供を受けるための電文を、前記携帯無線通信装置が中継する電文中継工程と
を含んだことを特徴とするサービス中継方法。
【請求項５】
前記サービス提供要求工程において、前記携帯無線通信装置は、前記サービスの課金対象を特定する情報として、前記情報処理機器の識別情報を前記サービス提供サーバに送信することを特徴とする請求項４に記載のサービス中継方法。
【発明の詳細な説明】
【技術分野】
【０００１】
この発明は、携帯無線通信装置、サービス中継プログラム、サービス中継システムおよびサービス中継方法に関し、特に、単なるネットワークレベルのネットワーク接続ではなく、サービスレベルの接続を提供することができる携帯無線通信装置、サービス中継プログラム、サービス中継システムおよびサービス中継方法に関する。
【背景技術】
【０００２】
近年、携帯電話端末のインターネット接続対応が進み、ほとんどの携帯電話端末がメールの送受信機能やＷＥＢページの閲覧機能を備えるようになっている。また、一部の携帯電話端末は、Ｂｌｕｅｔｏｏｔｈ等の短距離通信用の無線通信機能を備え、携帯電話会社が提供する通信網を経由することなく、他の機器と情報をやりとりすることができるようになっている。
【０００３】
特許文献１では、このようにインターネット接続機能と無線通信機能を備えた携帯電話端末を、インターネット接続のためのゲートウェイ装置として機能させるための技術が開示されている。この技術をもちいれば、インターネット接続機能を有しない機器であっても、無線通信機能により携帯電話端末と情報のやりとりが可能であれば、携帯電話端末を経由してインターネット接続を実現することができる。
【０００４】
【特許文献１】特開２００２−１１１８７０号公報
【発明の開示】
【発明が解決しようとする課題】
【０００５】
しかしながら、特許文献１において開示されている技術をもちいても、ゲートウェイ装置として機能する携帯電話端末がインターネットを通じて利用可能なサービスの全てを他の機器が利用できることになる訳ではなかった。
【０００６】
携帯電話端末向けに有料コンテンツを提供するサイトの多くは、利用者の利便性の観点から端末認証によって利用者の認証をおこなっている。端末認証とは、携帯電話端末がそれぞれ有する固有の識別番号をもちいて、サービスを受けようとしている者が正式な契約をした利用者であるか否かを認証する技術である。端末認証は、ＩＤとパスワードを入力する一般的な認証方式と比較して、利用者の負担を軽くすることができる。
【０００７】
ところが、特許文献１において開示されている技術は、単にネットワークレベルでの接続を提供するものであったので、端末認証に対応していない機器は、携帯電話端末向けに提供されている有料コンテンツの多くを利用することができなかった。また、端末認証に適応可能な機器であっても、このような有料コンテンツを利用するには、事前に利用契約が必要となるため、気軽にサービスの提供を受けることはできなかった。
【０００８】
この発明は、上述した従来技術による問題点を解消するためになされたものであり、単なるネットワークレベルのネットワーク接続ではなく、サービスレベルの接続を提供することができる携帯電話端末等の携帯無線通信装置、サービス中継プログラム、サービス中継システムおよびサービス中継方法を提供することを目的とする。
【課題を解決するための手段】
【０００９】
上述した課題を解決し、目的を達成するため、本発明の一つの態様では、ネットワークを通じてサービスを提供するサービス提供サーバと通信する第１の通信手段と、他の情報処理機器と通信する第２の通信手段とを備えた携帯無線通信装置であって、前記サービスの提供を受けるための電文を中継するように求める中継要求を、前記第２の通信手段を介して、他の情報処理機器から受け付ける電文中継要求受付手段と、前記電文中継要求受付手段により前記中継要求が受け付けられた場合に、前記サービス提供サーバの認証を受けて、前記サービス提供サーバに前記サービスの提供を要求するサービス提供要求手段と、前記サービス提供要求手段による要求が前記サービス提供サーバから認められた場合に、前記他の情報処理機器から前記第２の通信手段を介して送信された電文を前記第１の通信手段を介して前記サービス提供サーバへ転送し、前記サービス提供サーバから前記第１の通信手段を介して送信された電文を前記第２の通信手段を介して前記他の情報処理機器へ転送する電文中継手段とを備えたことを特徴とする。
【００１０】
また、本発明の他の態様では、ネットワークを通じてサービスを提供するサービス提供サーバと通信する第１の通信手段と、他の携帯無線通信装置と通信する第２の通信手段とを備えた携帯無線通信装置において稼動するサービス中継プログラムであって、前記サービスの提供を受けるための電文を中継するように求める中継要求を、前記第２の通信手段を介して、他の情報処理機器から受け付ける電文中継要求受付手順と、前記電文中継要求受付手順により前記中継要求が受け付けられた場合に、前記サービス提供サーバの認証を受けて、前記サービス提供サーバに前記サービスの提供を要求するサービス提供要求手順と、前記サービス提供要求手順による要求が前記サービス提供サーバから認められた場合に、前記他の情報処理機器から前記第２の通信手段を介して送信された電文を前記第１の通信手段を介して前記サービス提供サーバへ転送し、前記サービス提供サーバから前記第１の通信手段を介して送信された電文を前記第２の通信手段を介して前記他の情報処理機器へ転送する電文中継手順とをコンピュータに実行させることを特徴とする。
【００１１】
また、本発明の他の態様では、ネットワークを通じてサービスを提供するサービス提供サーバと、前記サービス提供サーバからサービスの提供を受けることができる携帯無線通信装置と、前記携帯無線通信装置と通信可能な情報処理機器とを含んだサービス中継システムであって、前記情報処理機器が、前記サービスの提供を受けるための電文を中継するように前記携帯無線通信装置に要求する電文中継要求手段と、前記情報処理機器の要求を受けた前記携帯無線通信装置が、前記サービス提供サーバの認証を受けて、前記サービス提供サーバに前記サービスの提供を要求するサービス提供要求手段と、前記サービス提供要求手段による要求が前記サービス提供サーバから認められた場合に、前記情報処理機器が前記サービスの提供を受けるための電文を、前記携帯無線通信装置が中継する電文中継手段とを備えたことを特徴とする。
【００１２】
また、本発明の他の態様では、ネットワークを通じてサービスを提供するサービス提供サーバと、前記サービス提供サーバからサービスの提供を受けることができる携帯無線通信装置と、前記携帯無線通信装置と通信可能な情報処理機器とを含んだサービス中継システムにおけるサービス中継方法であって、前記情報処理機器が、前記サービスの提供を受けるための電文を中継するように前記携帯無線通信装置に要求する電文中継要求工程と、前記情報処理機器の要求を受けた前記携帯無線通信装置が、前記サービス提供サーバの認証を受けて、前記サービス提供サーバに前記サービスの提供を要求するサービス提供要求工程と、前記サービス提供要求工程による要求が前記サービス提供サーバから認められた場合に、前記情報処理機器が前記サービスの提供を受けるための電文を、前記携帯無線通信装置が中継する電文中継工程とを含んだことを特徴とする。
【００１３】
また、本発明の他の態様では、上記の発明の態様において、前記サービス提供要求工程において、前記携帯無線通信装置は、前記サービスの課金対象を特定する情報として、前記情報処理機器の識別情報を前記サービス提供サーバに送信することを特徴とする。
【発明の効果】
【００１４】
本発明の一つの態様によれば、ネットワーク接続を中継する携帯無線通信装置が、サービスを提供するサービス提供サーバの認証を受けた上で中継を実行するように構成したので、単なるネットワークレベルのネットワーク接続ではなく、サービスレベルの接続を提供することができるという効果を奏する。
【００１５】
また、本発明の他の態様によれば、サービスの中継を実行するにあたって、サービスの中継を受ける情報処理機器の識別番号をサービス提供サーバに通知するように構成したので、有料のサービスを中継する場合に、実際にサービスの提供を受ける情報処理機器に課金をおこなうことができるという効果を奏する。
【発明を実施するための最良の形態】
【００１６】
以下に添付図面を参照して、本発明に係る携帯無線通信装置、サービス中継プログラム、サービス中継システムおよびサービス中継方法の好適な実施の形態を詳細に説明する。なお、以下の実施例では、携帯無線通信装置の一例として、携帯電話端末の構成等について説明するが、本発明に係る携帯無線通信装置は、携帯電話端末に限定されるものではない。
【実施例１】
【００１７】
まず、本実施例に係るサービス中継方法の概要について説明する。図１は、本実施例に係るサービス中継方法の概要について説明するための説明図である。同図に示した通信網１０は、携帯電話会社が保有する通信網であり、サービス提供サーバ４０１〜４０３と、課金サーバ５００と、基地局６００とが接続されている。なお、図示は省略しているが、通信網１０は、インターネットとも接続されている。
【００１８】
サービス提供サーバ４０１〜４０３は、予め利用契約が結ばれている利用者向けに有料コンテンツ等を提供するサーバ装置である。サービス提供サーバ４０１〜４０３は、契約者が所有する携帯電話端末の端末認証情報を記憶し、これに基づいてサービスの提供の可否を判断する。
【００１９】
課金サーバ５００は、通話時間やインターネット接続時間等を携帯電話端末ごとに記録し、これらに基づいて課金をおこなうサーバ装置である。また、課金サーバ５００は、サービス提供サーバ４０１〜４０３から有料コンテンツ等の利用料の情報を提供され、これを通話料等に合算した金額を各利用者への請求金額とする。
【００２０】
基地局６００は、当該の携帯電話会社と利用契約を結んでいる利用者が所有する携帯電話端末を通信網１０に接続するための設備であり、携帯電話端末との間で音声データやネットワーク通信用のパケット等の送受信をおこなう。
【００２１】
携帯電話端末２００は、通信網１０を保有する携帯電話会社と利用契約を結んでいる利用者が所有する携帯電話端末である。そして、携帯電話端末２００の所有者は、サービス提供サーバ４０１〜４０３の有料コンテンツ等を利用する契約も結んでいる。携帯電話端末２００は、サービス提供サーバ４０１〜４０３を利用するためのインターネット接続機能に加えて、通信網１０を経由せずに他の機器と通信するための無線通信機能を有する。
【００２２】
なお、この無線通信機能は、例えば、Ｂｌｕｅｔｏｏｔｈのように電磁波によるものであってもよいし、ＩｒＤＡ（Infrared Data Association）のように光によるものであってもよい。また、無線通信機能に代えて、ＵＳＢ（Universal Serial Bus）等の有線接続により他の機器と通信するための機能を備えていてもよい。
【００２３】
携帯電話端末３００は、通信網１０を保有する携帯電話会社と利用契約を結んでいる利用者が所有する携帯電話端末であるが、携帯電話端末３００の所有者は、サービス提供サーバ４０１〜４０３の有料コンテンツ等を利用する契約を結んでいない。携帯電話端末３００は、インターネット接続機能に加えて無線通信機能を有し、携帯電話端末２００と通信網１０を経由せずに通信することができる。
【００２４】
ここで、携帯電話端末３００の所有者が、サービス提供サーバ４０１のみで提供されている着メロのダウンロードサービスの提供を受けたいものとする。携帯電話端末３００は、インターネット接続機能を有しており、サービス提供サーバ４０１を運営するサービス提供業者と利用契約を結べばサービスの提供を受けることは可能であるが、サービスの最低契約期間等の問題で契約が困難な場合がある。
【００２５】
このような場合、携帯電話端末３００の所有者は、本実施例に係るサービス中継方法によるサービスの中継を、知人である携帯電話端末２００の所有者に依頼することにより、一時的にサービス提供サーバ４０１からサービスの提供を受けることができる。
【００２６】
図２は、本実施例に係るサービス中継方法における処理の流れを示す図である。同図は、携帯電話端末３００の所有者が、サービスの中継を携帯電話端末２００の所有者に依頼し、一時的にサービス提供サーバ４０１からサービスの提供を受ける場合の処理手順を示している。
【００２７】
同図に示すように、携帯電話端末３００は、携帯電話端末２００と無線通信による接続を確立した後、中継可能なサービスの一覧を送信するように携帯電話端末２００に対して要求する（ステップＳ１０１）。
【００２８】
要求を受けた携帯電話端末２００は、中継可能なサービスの識別番号と名前を対にした一覧を携帯電話端末３００へ応答し（ステップＳ１０２）、応答を受けた携帯電話端末３００は、応答内容をサービス選択画面に表示して所有者に中継を希望するサービスの選択を求める（ステップＳ１０３）。
【００２９】
図３は、サービス選択画面の一例を示す図である。同図に示すように、サービス選択画面には、携帯電話端末２００から応答されたサービスの名称が一覧表示され、そこから中継を受けたいサービスを選択するようになっている。この画面には、誤って無関係な携帯電話端末に中継を依頼することがないように、依頼先の携帯電話端末の所有者の名前も表示される。この名前は、接続を確立する際に得た相手端末の電話番号を装置内の電話帳データと照合して表示される。
【００３０】
携帯電話端末３００の所有者は、この画面において、「着メロダウンロードサービス」を選択し、「決定」ボタンを押下する。すると、携帯電話端末３００は、選択されたサービスの中継の許諾を携帯電話端末２００へ要求し（ステップＳ１０４）、要求を受けた携帯電話端末２００は、要求内容をサービス中継許諾画面に表示して所有者に中継を実行してよいか否かの確認を求める（ステップＳ１０５）。
【００３１】
図４は、サービス中継許諾画面の一例を示す図である。同図に示すように、サービス中継許諾画面には、携帯電話端末３００から中継の許諾を要求されたサービスの名称が表示され、中継の可否を選択するようになっている。この画面には、誤って無関係な携帯電話端末からの中継要求を許諾することがないように、要求元の携帯電話端末の所有者の名前も表示される。この名前は、接続を確立する際に得た相手端末の電話番号を装置内の電話帳データと照合して表示される。
【００３２】
この画面において、携帯電話端末２００の所有者が、中継の実行を許諾しなかった場合は（ステップＳ１０６否定）、処理が終了する。一方、携帯電話端末２００の所有者が、中継の実行を許諾した場合は（ステップＳ１０６肯定）、携帯電話端末２００は、中継が許諾された旨を携帯電話端末３００に応答する（ステップＳ１０７）。
【００３３】
中継が許諾された旨の応答を受けた携帯電話端末３００は、サービスの中継を受けるために、端末認証情報を含んだサービス提供要求を携帯電話端末２００へ送信する（ステップＳ１０８）。
【００３４】
ここで、携帯電話端末３００から携帯電話端末２００へ送信される情報の一例を図５に示す。同図に示した例では、中継を受けるサービスを識別するための識別番号であるサービスＩＤと、中継を受ける携帯電話端末３００を識別するための端末認証情報とが携帯電話端末２００へ送信される。なお、この例では、端末認証情報として、携帯電話端末３００の電話番号を携帯電話端末２００へ送信しているが、端末認証情報は、携帯電話端末３００を一意に識別できる番号であれば電話番号以外の番号であってもよい。
【００３５】
サービス提供要求を受信した携帯電話端末２００は、中継を要求されたサービスの提供元であるサービス提供サーバ４０１に対してサービス提供要求を送信する。このとき、携帯電話端末２００は、携帯電話端末３００から送信された携帯電話端末３００の端末認証情報をサービス提供要求に付加する（ステップＳ１０９）。
【００３６】
ここで、携帯電話端末２００からサービス提供サーバ４０１へ送信される情報の一例を図６に示す。同図に示した例では、提供を受けるサービスを識別するための識別番号であるサービスＩＤと、サービスの提供を要求する携帯電話端末２００を識別するための端末認証情報と、課金する対象である携帯電話端末３００を識別するための課金対象端末認証情報とがサービス提供サーバ４０１へ送信される。
【００３７】
端末認証情報は、サービスの提供を求めている者が正規に契約を結んでいることをサービス提供サーバ４０１が確認するための識別番号である。なお、この例では、端末認証情報として、携帯電話端末２００の電話番号をサービス提供サーバ４０１へ送信しているが、端末認証情報は、携帯電話端末２００を一意に識別できる番号であれば電話番号以外の番号であってもよい。
【００３８】
また、課金対象端末認証情報は、サービスの提供に対する対価の請求先をサービス提供サーバ４０１が特定するための識別番号である。この例では、課金対象端末認証情報として、携帯電話端末３００から携帯電話端末２００へ送信された番号が使用されている。携帯電話端末２００は、サービスを中継するだけであり、サービスに対する対価は、中継を要求した携帯電話端末３００の所有者が負担すべきだからである。
【００３９】
携帯電話端末２００は、サービス提供サーバ４０１に対してサービス提供要求を送信した後、図７に示すようなサービス中継状態表示画面を表示する。この画面は、携帯電話端末３００とサービス提供サーバ４０１の間での情報のやりとりが完了するまで表示される。また、携帯電話端末２００の所有者は、この画面が表示されている場合、所定の操作をおこなうことにより、いつでもサービスの中継を中断させることができる。これにより、携帯電話端末２００の所有者は、第３者により不正にサービスの中継が利用されることを防止することができる。
【００４０】
サービス提供要求を受信したサービス提供サーバ４０１は、端末認証情報を基にして要求元が正規の契約者であることを確認した後、課金対象端末認証情報を基にして課金対象者を特定し、その者に対して課金が可能であるか否かを確認する（ステップＳ１１０）。例えば、携帯電話会社のサーバ装置に問合せをおこない、契約内容や請求の支払い状況等を確認する。そして、課金不能であると判断した場合（ステップＳ１１１否定）、サービス提供サーバ４０１は、サービスの提供を拒絶する。この場合、携帯電話端末２００を介して携帯電話端末３００へその旨が伝達され、携帯電話端末３００は、図８に示すようなサービス提供拒否画面を表示させる。
【００４１】
一方、課金対象者に課金可能であると判断した場合（ステップＳ１１１肯定）、サービス提供サーバ４０１は、サービス提供の許諾を携帯電話端末２００へ応答し（ステップＳ１１２）、その応答は、携帯電話端末２００によって中継され、携帯電話端末３００へ伝達される（ステップＳ１１３）。
【００４２】
そして、携帯電話端末３００は、サービス実行要求を携帯電話端末２００へ送信し（ステップＳ１１４）、そのサービス実行要求は、携帯電話端末２００によって中継され、サービス提供サーバ４０１へ伝達される（ステップＳ１１５）。このサービス実行要求には、例えば、サービスの利用に必要な画面の送信要求や、画面で選択した項目に対応する処理の実行要求等が含まれる。
【００４３】
サービス実行要求を受信したサービス提供サーバ４０１は、要求されたサービスを実行し（ステップＳ１１６）、その結果を携帯電話端末２００へ応答する（ステップＳ１１７）。この応答には、サービスを実行した結果得られたデータ、例えば、着メロデータや、情報検索用の画面等が含まれる。
【００４４】
サービス提供サーバ４０１からの応答は、携帯電話端末２００によって中継され、携帯電話端末３００へ伝達される（ステップＳ１１８）。そして、携帯電話端末３００は、応答の内容に応じて、画面表示を更新したり、応答されたデータを所定の記憶部に記憶させたりといった処理を実行する（ステップＳ１１９）。
【００４５】
そして、携帯電話端末３００とサービス提供サーバ４０１の間では、携帯電話端末３００の所有者が必要とする処理が完了するまで、ステップＳ１１４〜１１９の手順が繰り返し実行される。そして、その過程において、もしくは、一連の処理の完了後に、サービス提供サーバ４０１は、提供したサービスに対する課金を課金対象者に対しておこなう（ステップＳ１２０）。
【００４６】
図９は、一連の処理が完了した後に、サービス提供サーバ４０１から課金サーバ５００に送信される課金請求データのデータ構成の一例を示す図である。同図に示すように、サービスを利用した端末は、携帯電話端末３００であるとされ、サービス提供に対する対価は、サービスを中継した携帯電話端末２００ではなく、サービスが提供された携帯電話端末３００へ請求される。
【００４７】
このように、本実施例に係るサービス中継方法では、サービスの中継を要求された携帯電話端末が自身の端末認証情報をもちいて端末認証を受け、その後、サービスの提供に必要な情報のやりとりを中継するように構成したので、他の機器に対して単なるネットワークレベルの接続だけでなく、本来事前契約を必要とする携帯電話向けのサービスを一時的に利用する機会を提供することができる。
【００４８】
なお、上記の例では、サービスの中継を要求する携帯電話端末３００がサービスの中継を担当する携帯電話端末２００と同一の携帯電話会社と利用契約が結ばれた携帯電話端末であるものであるとして説明したが、携帯電話端末３００は、携帯電話端末２００と異なる携帯電話会社と利用契約が結ばれた携帯電話端末であってもよい。また、携帯電話端末３００は、必ずしも携帯電話端末である必要はなく、携帯電話端末２００と有線もしくは無線で接続可能な他の機器であってもよい。
【００４９】
また、携帯電話端末２００が中継するサービスは、インターネット接続に係るものである必要はなく、音声通話に係るものであってもよい。また、サービス提供に対する対価を、サービスの中継を要求した携帯電話端末３００ではなく、サービスを中継した携帯電話端末２００へ請求することとしてもよい。この場合、サービス提供サーバ４０１〜４０３は、サービスをいずれかの携帯電話端末を中継して提供している場合であっても、そのことを全く意識する必要がなくなるので処理を単純化することができる。
【００５０】
次に、図１に示した各種装置の構成について説明する。携帯電話端末２００および携帯電話端末３００の構成について説明する前に、参考として、図２３を参照しながら、従来の携帯電話端末１００の構成について説明する。なお、説明を簡単にするため、同図では音声通話に関する構成の図示を省略している。
【００５１】
同図に示すように、携帯電話端末１００は、表示部１１０と、操作部１２０と、ネットワーク通信部１３０と、端末間通信部１４０と、制御部１５０と、記憶部１６０とを有する。表示部１１０は、各種情報を表示する装置であり、液晶表示装置等からなる。操作部１２０は、当該の携帯電話端末の所有者が各種情報を入力し、動作指示をおこなう装置であり、キーパッド等からなる。
【００５２】
ネットワーク通信部１３０は、インターネット通信機能のための通信を実現する通信部であり、端末間通信部１４０は、電話会社が提供する通信網を経由せずに他の機器と通信するための通信部である。なお、端末間通信部１４０による通信は、有線によるものであっても無線によるものであってもよい。
【００５３】
制御部１５０は、携帯電話端末１００を全体制御する制御部であり、サービス提供要求部１５１と、電文処理部１５２と、ユーザインターフェース制御部１５３とを有する。
【００５４】
サービス提供要求部１５１は、サービス提供サーバ４０１等のサーバ装置にサービスの提供を要求する処理部である。具体的には、サービス提供要求部１５１は、記憶部１６０の契約サービス情報１６１を参照してサービスの提供を要求すべきサーバ装置を特定し、記憶部１６０の端末情報１６２を参照して当該の携帯電話端末の端末認証情報を取得し、これを前記のサーバ装置へ送信して端末認証を受ける。
【００５５】
電文処理部１５２は、サービス提供要求部１５１により送信された端末認証情報による端末認証が成功した旨が、相手先のサーバ装置から応答された場合に、その後の処理を引き継いで相手先のサーバ装置と各種電文のやりとり等を実行する処理部である。
【００５６】
例えば、電文処理部１５２は、サービスの提供を受けるための初期画面の送信を相手先のサーバ装置へ要求し、応答をユーザインターフェース制御部１５３に引き渡して表示部１１０に表示させる。そして、操作部１２０を通じて当該の携帯電話端末の所有者から動作指示があった場合は、ユーザインターフェース制御部１５３からその内容を取得し、指示内容に対応したサービスの実行を相手先のサーバ装置へ要求する。また、相手先のサーバ装置から画像データや音楽データ等が送信された場合は、記憶部１６０の所定の領域にそれを記憶させる処理もおこなう。
【００５７】
ユーザインターフェース制御部１５３は、表示部１１０と操作部１２０を制御する制御部であり、当該の携帯電話端末の所有者の意思確認等をおこなう。記憶部１６０は、各種情報を記憶する記憶部であり、契約サービス情報１６１と、端末情報１６２とを記憶する。契約サービス情報１６１は、当該の携帯電話端末の所有者が利用契約を結んでいる有料コンテンツ等のサービスに係る情報であり、端末情報１６２は、当該の携帯電話端末に係る各種の属性情報であり、端末認証を受けるための端末認証情報を含む。
【００５８】
図１０は、図１に示した携帯電話端末２００の構成を示す機能ブロック図である。なお、説明を簡単にするため、同図では音声通話に関する構成の図示を省略している。
【００５９】
同図に示すように、携帯電話端末２００は、表示部２１０と、操作部２２０と、ネットワーク通信部２３０と、端末間通信部２４０と、制御部２５０と、記憶部２６０とを有する。表示部２１０、操作部２２０、ネットワーク通信部２３０、端末間通信部２４０および記憶部２６０は、それぞれ、図２３に示した表示部１１０、操作部１２０、ネットワーク通信部１３０、端末間通信部１４０および記憶部１６０と同様であるので説明を省略する。
【００６０】
制御部２５０は、携帯電話端末２００を全体制御する制御部であり、サービス提供要求部２５１と、電文処理部２５２と、ユーザインターフェース制御部２５３と、電文中継要求受付部２５４と、電文中継部２５５とを有する。
【００６１】
電文中継要求受付部２５４は、端末間通信部２４０を介して他の機器からサービス中継要求を受け付ける処理部である。具体的には、電文中継要求受付部２５４は、端末間通信部２４０を介して他の機器から中継可能なサービスの一覧の提供を要求されると、記憶部２６０の契約サービス情報２６１を参照し、該当する情報を要求元へ応答する。
【００６２】
また、電文中継要求受付部２５４は、端末間通信部２４０を介して他の機器から特定のサービスの中継許諾要求を受けると、ユーザインターフェース制御部２５３にサービス中継許諾画面の表示を指示し、当該の携帯電話端末の所有者に中継の可否を確認させ、その結果を要求元へ応答する。
【００６３】
また、電文中継要求受付部２５４は、端末間通信部２４０を介して他の機器からサービス提供要求を受けると、要求されたサービスの提供を受けるためのサービス提供要求をサービス提供要求部２５１に送信させる。このとき、電文中継要求受付部２５４は、他の機器から送信された端末認証情報をサービス提供要求に付加させる。
【００６４】
その後、電文中継要求受付部２５４は、ユーザインターフェース制御部２５３にサービス中継状態表示画面の表示を指示し、電文処理部２５２にサービス提供に係る全ての電文の処理を電文中継部２５５に引き継ぐように指示する。この結果、電文処理部２５２は、ネットワーク通信部２３０にて受信されたサービス提供に係る電文をそのまま電文中継部２５５に引き渡し、電文中継部２５５から引き渡されたサービス提供に係る電文をそのままネットワーク通信部２３０から送信させる。
【００６５】
また、電文中継要求受付部２５４は、端末間通信部２４０を介して他の機器からサービスの提供を受け終わった旨が伝達された場合、および、サービスの中継を中止させるための操作が操作部２２０でおこなわれた旨がユーザインターフェース制御部２５３から伝達された場合、ユーザインターフェース制御部２５３にサービス中継状態表示画面の消去を指示し、電文処理部２５２にサービス提供に係る全ての電文の処理を通常通り自ら処理するように指示する。
【００６６】
電文中継部２５５は、サービスの中継を実現するために各種電文の変換と中継をおこなう処理部である。具体的には、電文処理部２５２から引き渡された電文を端末間通信部２４０が送信可能な形式に変換して端末間通信部２４０に引き渡し、他の機器へ送信させる。また、電文中継部２５５は、他の機器から送信され、端末間通信部２４０にて受信された電文をネットワーク通信部２３０が送信可能な形式に変換して電文処理部２５２に引き渡す。
【００６７】
サービス提供要求部２５１、電文処理部２５２およびユーザインターフェース制御部２５３は、上記のようにサービスの中継のための拡張が施されていることを除けば、それぞれ、図２３に示したサービス提供要求部１５１、電文処理部１５２およびユーザインターフェース制御部１５３と同様である。
【００６８】
図１１は、図１に示した携帯電話端末３００の構成を示す機能ブロック図である。なお、説明を簡単にするため、同図では音声通話に関する構成の図示を省略している。
【００６９】
同図に示すように、携帯電話端末３００は、表示部３１０と、操作部３２０と、ネットワーク通信部３３０と、端末間通信部３４０と、制御部３５０と、記憶部３６０とを有する。表示部３１０、操作部３２０、ネットワーク通信部３３０、端末間通信部３４０および記憶部３６０は、それぞれ、図２３に示した表示部１１０、操作部１２０、ネットワーク通信部１３０、端末間通信部１４０および記憶部１６０と同様であるので説明を省略する。
【００７０】
制御部３５０は、携帯電話端末３００を全体制御する制御部であり、サービス提供要求部３５１と、電文処理部３５２と、ユーザインターフェース制御部３５３と、電文中継要求部３５４と、電文中継部３５５とを有する。
【００７１】
電文中継要求部３５４は、端末間通信部３４０を介して他の携帯電話端末に対してサービス中継を要求する処理部である。具体的には、電文中継要求部３５４は、端末間通信部３４０を介して他の携帯電話端末に対して中継可能なサービスの一覧の提供を要求する。そして、他の携帯電話端末から中継可能なサービスの一覧の提供を受けると、ユーザインターフェース制御部３５３にサービス選択画面の表示を指示する。
【００７２】
そして、当該の携帯電話端末の所有者が、いずれかのサービスを選択すると、電文中継要求部３５４は、端末間通信部３４０を介して他の携帯電話端末に対してそのサービスの中継許諾要求を送信する。そして、許諾する旨の応答があった場合は、記憶部３６０の端末情報３６２から端末認証情報を取得し、これを含めたサービス提供要求を、端末間通信部３４０を介して他の携帯電話端末へ送信する。
【００７３】
また、電文中継要求部３５４は、必要なサービスの提供を全て受け、サービスの中継が不要になった場合は、端末間通信部３４０を介して他の携帯電話端末に対してその旨を通知する。
【００７４】
電文中継部３５５は、サービスの中継を実現するために各種電文の変換と中継をおこなう処理部である。具体的には、他の携帯電話端末から送信され、端末間通信部３４０にて受信された電文をネットワーク通信部３３０にて受信される電文と同様の形式に変換して電文処理部３５２に引き渡す。
【００７５】
電文処理部３５２は、電文中継部３５５から電文を受け取った場合、ネットワーク通信部３３０から電文を受け取った場合と同様の処理を実行した後、通常であればネットワーク通信部３３０に送信を依頼する電文を電文中継部３５５へ引き渡す。そして、電文中継部３５５は、引き渡された電文を端末間通信部３４０が送信可能な形式に変換して端末間通信部３４０に引き渡し、他の携帯電話端末へ送信させる。
【００７６】
サービス提供要求部３５１、電文処理部３５２およびユーザインターフェース制御部３５３は、上記のようにサービスの中継のための拡張が施されていることを除けば、それぞれ、図２３に示したサービス提供要求部１５１、電文処理部１５２およびユーザインターフェース制御部１５３と同様である。
【００７７】
図１２は、図１に示したサービス提供サーバ４０１の構成を示す機能ブロック図である。なお、図１に示したサービス提供サーバ４０２および４０３も同様の構成を有する。
【００７８】
同図に示すように、サービス提供サーバ４０１は、ネットワーク通信部４１０と、制御部４２０と、記憶部４３０とを有する。ネットワーク通信部４１０は、ネットワークを通じて各種情報をやりとりするための通信部である。
【００７９】
制御部４２０は、サービス提供サーバ４０１を全体制御する制御部であり、サービス提供要求受付部４２１と、課金可否問合せ部４２２と、サービス実行部４２３と、サービス課金部４２４と、課金請求部４２５とを有する。
【００８０】
サービス提供要求受付部４２１は、ネットワーク通信部４１０にて受信されたサービス提供要求に含まれる端末認証情報と記憶部４３０のサービス提供端末情報４３１とを照合することにより端末認証をおこない、サービス提供要求の送信元が正規の利用契約を有しているか否かを判定し、判定結果に基づいてサービスの提供の可否を応答する処理部である。
【００８１】
課金可否問合せ部４２２は、サービス提供要求に課金対象の端末認証情報が付加されていた場合に、サービス提供要求受付部４２１の依頼に基づいて、その端末認証情報に対応する携帯電話端末に対して課金が可能であるか否かを課金サーバ５００等に問い合せる処理部である。課金可否問合せ部４２２の問合せの結果、課金対象の端末認証情報に対応する携帯電話端末に課金をおこなうことができないと判明した場合、サービス提供要求受付部４２１は、サービスを提供できない旨をサービス提供要求の送信元へ応答する。
【００８２】
サービス実行部４２３は、サービス提供要求受付部４２１によりサービスの提供を認められた携帯電話端末と各種電文のやりとりをおこない、サービスの提供に係る各種処理を実行する処理部である。
【００８３】
サービス課金部４２４は、サービス実行部４２３において実行された処理に対して、必要に応じて課金処理をおこない、その結果を記憶部４３０の課金情報４３２に記憶させる処理部である。サービス課金部４２４は、サービス提供要求に課金対象の端末認証情報が付加されていた場合は、その端末認証情報に対応する携帯電話端末を課金対象とし、さもなければ、端末認証された携帯電話端末を課金対象とする。
【００８４】
課金請求部４２５は、記憶部４３０の課金情報４３２に基づいて、定期的に課金サーバ５００に課金額を請求する処理部である。記憶部４３０は、各種情報を記憶する記憶部であり、サービス提供端末情報４３１と、課金情報４３２とを記憶する。サービス提供端末情報４３１は、当該のサービス提供サーバからサービスの提供を受けるための利用契約を結んでいる利用者が所有する携帯電話端末に関する情報であり、端末認証番号を含む。課金情報４３２は、サービスの提供に対する課金に関する情報である。
【００８５】
次に、図１０に示した携帯電話端末２００の処理手順について説明する。図１３は、携帯電話端末２００の処理手順を示すフローチャートである。同図は、携帯電話端末２００がサービス提供サーバ４０１等から電文を受信した場合の電文処理部２５２の処理手順を示している。
【００８６】
同図に示すように、ネットワーク通信部２３０において、サービス提供サーバ４０１等からの電文が受信されると（ステップＳ１１）、電文処理部２５２は、サービスの中継中であれば（ステップＳ１２肯定）、電文中継部２５５を通じて、電文を中継の要求元へ転送させる（ステップＳ１３）。そして、サービスの中継中でなければ（ステップＳ１２否定）、電文の内容に応じた処理を自ら実行する（ステップＳ１４）。
【００８７】
なお、上記の各種装置の構成は、本発明の要旨を逸脱しない範囲で種々に変更することができる。例えば、携帯電話端末２００と携帯電話端末３００の構成を併合し、サービス中継の要求元としても要求先としても機能することができる構成をとることもできる。また、各種装置の制御部の機能を集約して集積回路として実現することもできる。
【００８８】
また、各種装置の制御部の機能をソフトウェアとして実装することもできる。以下、図１４を参照しながら、図１０に示した制御部２５０の機能をソフトウェアとして実装した場合における携帯電話端末１０００の構成について説明する。
【００８９】
携帯電話端末１０００は、各種演算処理を実行するＣＰＵ（Central Processing Unit）１０１０と、利用者からデータの入力を受け付ける操作部１０２０と、各種情報を表示する表示部１０３０と、携帯電話会社が提供する通信網を通じて音声やデータを送受信するためのネットワーク通信部１０４０と、前記の通信網を経由することなく他の機器と情報をやりとりするための端末間通信部１０５０と、各種プログラム等を記録した記録媒体からプログラム等を読み取る媒体読取り装置１０６０と、各種情報を一時記憶するＲＡＭ（Random Access Memory）１０７０と、不揮発性メモリであるフラッシュメモリ１０８０とをバス１０９０で接続して構成される。
【００９０】
そして、フラッシュメモリ１０８０には、図１０に示した制御部２５０と同様の機能を有するサービス中継プログラム１０８１と、契約サービス情報２６１に対応する契約サービスデータ１０８２と、端末情報２６２に対応する端末データ１０８３とが記憶される。
【００９１】
そして、ＣＰＵ１０１０がサービス中継プログラム１０８１をフラッシュメモリ１０８０から読み出してＲＡＭ１０７０に展開することにより、サービス中継プログラム１０８１は、サービス中継プロセス１０７１として機能するようになる。そして、サービス中継プロセス１０７１は、契約サービスデータ１０８２および端末データ１０８３から読み出した情報等を適宜ＲＡＭ１０７０上に展開し、この展開したデータ等に基づいて各種データ処理を実行する。
【００９２】
なお、上記のサービス中継プログラム１０８１は、必ずしもフラッシュメモリ１０８０に格納されている必要はなく、記憶媒体に記憶されたこのプログラムを、媒体読取り装置１０６０を介して携帯電話端末１０００が読み出して実行するようにしてもよい。また、他のコンピュータ（またはサーバ）等にこのプログラムを記憶させておき、携帯電話端末１０００がこれらからプログラムを読み出して実行するようにしてもよい。
【００９３】
上述してきたように、本実施例１では、ネットワーク接続を中継する携帯電話端末２００が、サービスを提供するサービス提供サーバ４０１等の認証を受けた上で中継を実行するように構成したので、単なるネットワークレベルのネットワーク接続ではなく、サービスレベルの接続を携帯電話端末３００に提供することができる。
【実施例２】
【００９４】
実施例１では、有料コンテンツを利用する目的でサービスの中継を受ける場合について説明したが、実施例２では、メールの送受信をおこなう目的でサービスの中継を受ける場合について説明する。メールの送受信の場合、送信したメールに対する返信がどのタイミングでおこなわれるか不定であるため、実施例１において示した技術をそのまま適用することはできない。
【００９５】
まず、本実施例に係るサービス中継方法におけるメールの送受信時の処理手順について説明する。ここで、説明の前提として、携帯電話端末３００の所有者が、サービス提供サーバ４０２で提供されているメールサービスの提供を一時的に受けるため、知人である携帯電話端末２０１の所有者にサービスの中継を依頼する場面を想定する。
【００９６】
図１５は、本実施例に係るサービス中継方法におけるメール送信時の処理の流れを示す図である。同図は、サービス提供サーバ４０２が提供するメールサービスを一時的に利用して、携帯電話端末３００がメールを送信する場合の処理手順を示している。なお、ステップＳ２０１〜２１３の処理手順は、図２に示したステップＳ１０１〜１１３と同様であるので説明を省略する。
【００９７】
同図に示すように、サービスの提供を許諾する旨の応答をサービス提供サーバ４０２から受信した携帯電話端末３００は、メール編集画面を表示して、所有者にメールの宛先や内容等を編集させる（ステップＳ２１４）。そして、所有者によるメールの編集が完了したならば、携帯電話端末３００は、そのメールを携帯電話端末２０１へ送信する（ステップＳ２１５）。
【００９８】
そして、そのメールは、携帯電話端末２０１によって中継され、サービス提供サーバ４０２へ伝達される（ステップＳ２１６）。そして、メールを受信したサービス提供サーバ４０２は、メールを宛先へ向けて転送し（ステップＳ２１７）、メールの送信に関する課金を課金対象者に対しておこなう（ステップＳ２１８）。
【００９９】
図１６は、携帯電話端末３００から送信されるメールのメールヘッダの一例を示す図である。同図では、送信元のメールアドレスを示すＦｒｏｍヘッダに携帯電話端末３００の電話番号が設定されている。一時的な利用者に任意のメールアドレスを選択させることは、一時的な利用者にとって面倒な作業であり、また、そのメールサービスを恒常的に利用しようとする者がメールアドレスを選択する幅を狭めてしまう。
【０１００】
そこで、この例では、送信元の携帯電話端末の電話番号を送信元のメールアドレスとしている。なお、サービス提供サーバ４０２がメールを転送する際に、サービス提供サーバ４０２が提供するメールサービスに対応するドメイン名が、送信元のメールアドレスに付加される。メールが他のドメイン宛であっても正常に返信等がおこなわれるようにするためである。
【０１０１】
図１７は、本実施例に係るサービス中継方法におけるメール着信時の処理の流れを示す図である。同図は、メールがサービス提供サーバ４０２に着信した場合の処理手順を示している。
【０１０２】
同図に示すように、メールがサービス提供サーバ４０２に着信すると（ステップＳ３０１）、サービス提供サーバ４０２は、宛先アドレスを確認する（ステップＳ３０２）。そして、宛先アドレスが正規の利用契約を結んでいる携帯電話端末のものであれば（ステップＳ３０３肯定）、その携帯電話端末へ向けてメールを配送する。
【０１０３】
一方、宛先アドレスが正規の利用契約を結んでいる携帯電話端末のものでなければ（ステップＳ３０３否定）、宛先アドレスからドメイン名部分を除いたものが配送先の携帯電話端末の電話番号であると仮定して、その携帯電話端末に課金可能であるかを確認する。そして、課金可能でなければ（ステップＳ３０４否定）、メールを破棄し、課金可能であれば（ステップＳ３０４肯定）、メールを一定期間保持する（ステップＳ３０５）。
【０１０４】
図１８は、サービス提供サーバ４０２へ着信するメールのメールヘッダの一例を示す図である。同図では、配送先の携帯電話端末の電話番号に、サービス提供サーバ４０２が提供するメールサービスに対応するドメイン名が付加されたものが、宛先アドレスとして設定されている。
【０１０５】
図１９は、本実施例に係るサービス中継方法におけるメール受信時の処理の流れを示す図である。同図は、サービス提供サーバ４０２に着信したメールを携帯電話端末３００が受信する場合の処理手順を示している。なお、ステップＳ４０１〜４１３の処理手順は、図２に示したしステップＳ１０１〜１１３と同様であるので説明を省略する。
【０１０６】
同図に示すように、サービスの提供を許諾する旨の応答をサービス提供サーバ４０２から受信した携帯電話端末３００は、メールの受信要求を携帯電話端末２０１へ送信する（ステップＳ４１４）。そして、その要求は、携帯電話端末２０１によって中継され、サービス提供サーバ４０２へ伝達される（ステップＳ４１５）。
【０１０７】
要求を受信したサービス提供サーバ４０２は、携帯電話端末３００宛のメールを保持しているか否かを確認し、保持していなければ（ステップＳ４１６否定）、その旨を応答して処理を終了する。一方、携帯電話端末３００宛のメールを保持している場合は（ステップＳ４１６肯定）、そのメールを携帯電話端末２０１へ送信する（ステップＳ４１７）。
【０１０８】
このとき、サービス提供サーバ４０２は、携帯電話端末３００の端末認証情報をメールヘッダに付加する。この端末認証情報は、宛先メールアドレスからドメイン名部分を除去することにより取得した電話番号であってもよいし、サービスの提供を許諾するためのやりとりの過程において課金対象を特定するために取得した端末認証情報であってもよい。
【０１０９】
このように、メールサービスを一時的に利用する者宛のメールのヘッダに端末認証情報を付加するのは、サービスを中継する携帯電話端末２０１が、メールの誤配送をおこなわないようにするためである。携帯電話端末２０１が、サービスの中継をおこなっている最中にも、携帯電話端末２０１宛のメールがサービス提供サーバ４０２に着信し、携帯電話端末２０１へ配送される可能性がある。
【０１１０】
メールサービスを一時的に利用する者宛のメールのヘッダに端末認証情報を付加しておくことにより、携帯電話端末２０１宛は、受信したメールが自端末宛であるか否かを容易に判定し、誤配送を防止することができる。なお、端末認証情報は、メールヘッダにではなく、メールを配送するための各パケットに付加することとしてもよい。
【０１１１】
こうして、携帯電話端末３００宛のメールを送信した後、サービス提供サーバ４０２は、メールの受信に関する課金を課金対象者に対しておこなう（ステップＳ４１８）。そして、送信されたメールは、携帯電話端末２０１によって中継され、携帯電話端末３００へ伝達される（ステップＳ４１９）。そして、携帯電話端末３００は、受信したメールの表示をおこなう（ステップＳ４２０）。
【０１１２】
図２０は、サービス提供サーバ４０２から送信されるメールのメールヘッダの一例を示す図である。同図では、「Ｔｅｒｍｉｎａｌ−ＩＤ」というヘッダが追加され、そこに携帯電話端末３００の端末認証情報が設定されている。
【０１１３】
次に、携帯電話端末２０１の構成について説明する。図２１は、携帯電話端末２０１の構成を示す機能ブロック図である。同図に示すように、携帯電話端末２０１は、制御部２５０が制御部２７０となっている以外は、図１０に示した携帯電話端末２００と同様の構成となっている。
【０１１４】
制御部２７０は、携帯電話端末２０１を全体制御する制御部であり、サービス提供要求部２７１と、電文処理部２７２と、ユーザインターフェース制御部２７３と、電文中継要求受付部２７４と、電文中継部２７５と、宛先判定部２７６とを有する。
【０１１５】
宛先判定部２７６は、ネットワーク通信部２３０にて受信されたメールが自端末宛であるか否かを、メールに付加された端末認証情報の内容や有無等に基づいて判定する処理部である。電文処理部２７２は、宛先判定部２７６により、受信されたメールが自端末宛であると判定された場合は、サービスの中継が実行されている最中であっても、そのメールを電文中継部２７５へ引き渡すことなく、自身で処理する。
【０１１６】
サービス提供要求部２７１、電文処理部２７２、ユーザインターフェース制御部２７３、電文中継要求受付部２７４および電文中継部２７５は、上記の機能を除けば、それぞれ、図１０に示したサービス提供要求部２５１、電文処理部２５２、ユーザインターフェース制御部２５３、電文中継要求受付部２５４および電文中継部２５５と同様である。
【０１１７】
次に、図２１に示した携帯電話端末２０１の処理手順について説明する。図２２は、携帯電話端末２０１の処理手順を示すフローチャートである。同図は、携帯電話端末２０１がサービス提供サーバ４０２等からメールを受信した場合の電文処理部２７２と宛先判定部２７６の処理手順を示している。
【０１１８】
同図に示すように、ネットワーク通信部２３０において、メールが受信されると（ステップＳ２１）、宛先判定部２７６は、メールに付加された端末認証情報を確認する（ステップＳ２２）。そして、メールが他端末宛であると宛先判定部２７６が判定した場合は（ステップＳ２３肯定）、電文処理部２７２は、電文中継部２７５を通じて、メールを中継の要求元へ転送させる（ステップＳ２４）。そして、メールが自端末宛であると宛先判定部２７６が判定した場合は（ステップＳ２３否定）、電文処理部２７２は、そのメールの処理を自ら実行する（ステップＳ２５）。
【０１１９】
上述してきたように、本実施例２では、メールサービスを提供するサービス提供サーバ４０２が、メールを受信すべき端末を特定するための識別情報をメールに付加するように構成したので、メール受信を中継する携帯電話端末２０１が、この識別情報に基づいて、自身が受信したメールが自身宛のものであるか、中継先の携帯電話端末３００宛のものであるかを容易に判別し、誤配送を防止することができる。
【０１２０】
（付記１）ネットワークを通じてサービスを提供するサービス提供サーバと通信する第１の通信手段と、
他の情報処理機器と通信する第２の通信手段とを備えた携帯無線通信装置であって、
前記サービスの提供を受けるための電文を中継するように求める中継要求を、前記第２の通信手段を介して、他の情報処理機器から受け付ける電文中継要求受付手段と、
前記電文中継要求受付手段により前記中継要求が受け付けられた場合に、前記サービス提供サーバの認証を受けて、前記サービス提供サーバに前記サービスの提供を要求するサービス提供要求手段と、
前記サービス提供要求手段による要求が前記サービス提供サーバから認められた場合に、前記他の情報処理機器から前記第２の通信手段を介して送信された電文を前記第１の通信手段を介して前記サービス提供サーバへ転送し、前記サービス提供サーバから前記第１の通信手段を介して送信された電文を前記第２の通信手段を介して前記他の情報処理機器へ転送する電文中継手段と
を備えたことを特徴とする携帯無線通信装置。
【０１２１】
（付記２）ネットワークを通じてサービスを提供するサービス提供サーバと通信する第１の通信手段と、
他の情報処理機器と通信する第２の通信手段とを備えた携帯無線通信装置において稼動するサービス中継プログラムであって、
前記サービスの提供を受けるための電文を中継するように求める中継要求を、前記第２の通信手段を介して、他の情報処理機器から受け付ける電文中継要求受付手順と、
前記電文中継要求受付手順により前記中継要求が受け付けられた場合に、前記サービス提供サーバの認証を受けて、前記サービス提供サーバに前記サービスの提供を要求するサービス提供要求手順と、
前記サービス提供要求手順による要求が前記サービス提供サーバから認められた場合に、前記他の情報処理機器から前記第２の通信手段を介して送信された電文を前記第１の通信手段を介して前記サービス提供サーバへ転送し、前記サービス提供サーバから前記第１の通信手段を介して送信された電文を前記第２の通信手段を介して前記他の情報処理機器へ転送する電文中継手順と
をコンピュータに実行させることを特徴とするサービス中継プログラム。
【０１２２】
（付記３）ネットワークを通じてサービスを提供するサービス提供サーバと、
前記サービス提供サーバからサービスの提供を受けることができる携帯無線通信装置と、
前記携帯無線通信装置と通信可能な情報処理機器とを含んだサービス中継システムであって、
前記情報処理機器が、前記サービスの提供を受けるための電文を中継するように前記携帯無線通信装置に要求する電文中継要求手段と、
前記情報処理機器の要求を受けた前記携帯無線通信装置が、前記サービス提供サーバの認証を受けて、前記サービス提供サーバに前記サービスの提供を要求するサービス提供要求手段と、
前記サービス提供要求手段による要求が前記サービス提供サーバから認められた場合に、前記情報処理機器が前記サービスの提供を受けるための電文を、前記携帯無線通信装置が中継する電文中継手段と
を備えたことを特徴とするサービス中継システム。
【０１２３】
（付記４）ネットワークを通じてサービスを提供するサービス提供サーバと、
前記サービス提供サーバからサービスの提供を受けることができる携帯無線通信装置と、
前記携帯無線通信装置と通信可能な情報処理機器とを含んだサービス中継システムにおけるサービス中継方法であって、
前記情報処理機器が、前記サービスの提供を受けるための電文を中継するように前記携帯無線通信装置に要求する電文中継要求工程と、
前記情報処理機器の要求を受けた前記携帯無線通信装置が、前記サービス提供サーバの認証を受けて、前記サービス提供サーバに前記サービスの提供を要求するサービス提供要求工程と、
前記サービス提供要求工程による要求が前記サービス提供サーバから認められた場合に、前記情報処理機器が前記サービスの提供を受けるための電文を、前記携帯無線通信装置が中継する電文中継工程と
を含んだことを特徴とするサービス中継方法。
【０１２４】
（付記５）前記サービス提供要求工程において、前記携帯無線通信装置は、前記サービスの課金対象を特定する情報として、前記情報処理機器の識別情報を前記サービス提供サーバに送信することを特徴とする付記４に記載のサービス中継方法。
【０１２５】
（付記６）前記電文中継工程において、前記サービス提供サーバは、前記携帯無線通信装置へ向けて送信する電文に、当該の電文の送信先と特定するための識別番号を含めることを特徴とする付記４または５に記載のサービス中継方法。
【０１２６】
（付記７）他の情報処理機器と通信する通信手段を備えた携帯無線通信装置であって、
前記他の情報処理機器が提供を受けることが可能なサービスを前記通信手段を介して中継するように要求する中継要求手段と、
前記要求が認められた場合に、前記他の情報処理機器から前記通信手段を介して前記サービスの中継を受ける電文中継手段と
を備えたことを特徴とする携帯無線通信装置。
【０１２７】
（付記８）他の情報処理機器と通信する通信手段を備えた携帯無線通信装置において稼動するサービス中継プログラムであって、
前記他の情報処理機器が提供を受けることが可能なサービスを前記通信手段を介して中継するように要求する中継要求手順と、
前記要求が認められた場合に、前記他の情報処理機器から前記通信手段を介して前記サービスの中継を受ける電文中継手順と
をコンピュータに実行させることを特徴とするサービス中継プログラム。
【０１２８】
（付記９）ネットワークを通じてサービスを提供するサービス提供サーバと通信する第１の通信手段と、
他の情報処理機器と通信する第２の通信手段とを備えた携帯無線通信装置に搭載される集積回路であって、
前記サービスの提供を受けるための電文を中継するように求める中継要求を、前記第２の通信手段を介して、他の情報処理機器から受け付ける電文中継要求受付手段と、
前記電文中継要求受付手段により前記中継要求が受け付けられた場合に、前記サービス提供サーバの認証を受けて、前記サービス提供サーバに前記サービスの提供を要求するサービス提供要求手段と、
前記サービス提供要求手段による要求が前記サービス提供サーバから認められた場合に、前記他の情報処理機器から前記第２の通信手段を介して送信された電文を前記第１の通信手段を介して前記サービス提供サーバへ転送し、前記サービス提供サーバから前記第１の通信手段を介して送信された電文を前記第２の通信手段を介して前記他の情報処理機器へ転送する電文中継手段と
を備えたことを特徴とする集積回路。
【産業上の利用可能性】
【０１２９】
以上のように、本発明に係る携帯無線通信装置、サービス中継プログラム、サービス中継システムおよびサービス中継方法は、携帯無線通信装置が他の機器にネットワーク接続を提供する場合に、単なるネットワークレベルのネットワーク接続ではなく、サービスレベルの接続を提供することが必要な場合に適している。
【図面の簡単な説明】
【０１３０】
【図１】本実施例に係るサービス中継方法の概要について説明するための説明図である。
【図２】本実施例に係るサービス中継方法における処理の流れを示す図である。
【図３】サービス選択画面の一例を示す図である。
【図４】サービス中継許諾画面の一例を示す図である。
【図５】非契約端末から送信される端末認証情報の一例を示す図である。
【図６】契約端末から送信される端末認証情報の一例を示す図である。
【図７】サービス中継状態表示画面の一例を示す図である。
【図８】サービス提供拒否画面の一例を示す図である。
【図９】課金請求データのデータ構成の一例を示す図である。
【図１０】本実施例に係る携帯電話端末（契約端末）の構成を示す機能ブロック図である。
【図１１】本実施例に係る携帯電話端末（非契約端末）の構成を示す機能ブロック図である。
【図１２】本実施例に係るサービス提供サーバの構成を示す機能ブロック図である。
【図１３】携帯電話端末（契約端末）の処理手順を示すフローチャートである。
【図１４】サービス中継機能をソフトウェアとして実現した場合における携帯電話端末（契約端末）の構成を示す機能ブロック図である。
【図１５】本実施例に係るサービス中継方法におけるメール送信時の処理の流れを示す図である。
【図１６】メール送信時におけるメールヘッダの一例を示す図である。
【図１７】本実施例に係るサービス中継方法におけるメール着信時の処理の流れを示す図である。
【図１８】メール着信時におけるメールヘッダの一例を示す図である。
【図１９】本実施例に係るサービス中継方法におけるメール受信時の処理の流れを示す図である。
【図２０】メール受信時におけるメールヘッダの一例を示す図である。
【図２１】本実施例に係る携帯電話端末（契約端末）の構成を示す機能ブロック図である。
【図２２】携帯電話端末（契約端末）の処理手順を示すフローチャートである。
【図２３】従来の携帯電話端末の構成を示す機能ブロック図である。
【符号の説明】
【０１３１】
１０  通信網
１００  携帯電話端末
１１０  表示部
１２０  操作部
１３０  ネットワーク通信部
１４０  端末間通信部
１５０  制御部
１５１  サービス提供要求部
１５２  電文処理部
１５３  ユーザインターフェース制御部
１６０  記憶部
１６１  契約サービス情報
１６２  端末情報
２００、２０１  携帯電話端末
２１０  表示部
２２０  操作部
２３０  ネットワーク通信部
２４０  端末間通信部
２５０  制御部
２５１  サービス提供要求部
２５２  電文処理部
２５３  ユーザインターフェース制御部
２５４  電文中継要求受付部
２５５  電文中継部
２６０  記憶部
２６１  契約サービス情報
２６２  端末情報
２７０  制御部
２７１  サービス提供要求部
２７２  電文処理部
２７３  ユーザインターフェース制御部
２７４  電文中継要求受付部
２７５  電文中継部
２７６  宛先判定部
３００  携帯電話端末
３１０  表示部
３２０  操作部
３３０  ネットワーク通信部
３４０  端末間通信部
３５０  制御部
３５１  サービス提供要求部
３５２  電文処理部
３５３  ユーザインターフェース制御部
３５４  電文中継要求部
３５５  電文中継部
３６０  記憶部
３６１  契約サービス情報
３６２  端末情報
４０１〜４０３  サービス提供サーバ
４１０  ネットワーク通信部
４２０  制御部
４２１  サービス提供要求受付部
４２２  課金可否問合せ部
４２３  サービス実行部
４２４  サービス課金部
４２５  課金請求部
４３０  記憶部
４３１  サービス提供端末情報
４３２  課金情報
５００  課金サーバ
６００  基地局
１０００  携帯電話端末
１０１０  ＣＰＵ
１０２０  操作部
１０３０  表示部
１０４０  ネットワーク通信部
１０５０  端末間通信部
１０６０  媒体読取り装置
１０７０  ＲＡＭ
１０７１  サービス中継プロセス
１０８０  フラッシュメモリ
１０８１  サービス中継プログラム
１０８２  契約サービスデータ
１０８３  端末データ
１０９０  バス
【図１】
2007336090.tif 000003
【図２】
2007336090.tif 000004
【図３】
2007336090.tif 000005
【図４】
2007336090.tif 000006
【図５】
2007336090.tif 000007
【図６】
2007336090.tif 000008
【図７】
2007336090.tif 000009
【図８】
2007336090.tif 000010
【図９】
2007336090.tif 000011
【図１０】
2007336090.tif 000012
【図１１】
2007336090.tif 000013
【図１２】
2007336090.tif 000014
【図１３】
2007336090.tif 000015
【図１４】
2007336090.tif 000016
【図１５】
2007336090.tif 000017
【図１６】
2007336090.tif 000018
【図１７】
2007336090.tif 000019
【図１８】
2007336090.tif 000020
【図１９】
2007336090.tif 000021
【図２０】
2007336090.tif 000022
【図２１】
2007336090.tif 000023
【図２２】
2007336090.tif 000024
【図２３】
2007336090.tif 000025